(57)【要約】【課題】音声をテキストに変換する装置及び方法を提供することを目的とする。【解決手段】本発明の音声をテキストに変換する装置は、音声受信モジュール、音声識別モジュール、表示モジュール、入力モジュール及び制御モジュールを備え、前記音声受信モジュールは、外部の音声信号を受け取って前記音声識別モジュールに送信し、前記音声識別モジュールは、異なる所定の時間範囲における各々の所定の時間範囲内の音声信号をテキストデータに変換してから前記制御モジュールに送信し、前記入力モジュールは、ユーザーが入力した文字データを前記制御モジュールに送信し、前記制御モジュールは、同じ所定の時間範囲内のユーザーが入力した文字、音声から変換されたテキスト及び同じ前記所定の時間範囲を前記表示モジュールに表示させる。【選択図】図１
2012141596.tif 000002
【特許請求の範囲】
【請求項１】
音声受信モジュール、音声識別モジュール及び表示モジュールを備えてなる音声をテキストに変換する装置であって、
入力モジュール及び制御モジュールをさらに備え、
前記音声受信モジュールは、外部の音声信号を受け取って前記音声識別モジュールに送信し、
前記音声識別モジュールは、異なる所定の時間範囲における各々の所定の時間範囲内の音声信号をテキストデータに変換してから前記制御モジュールに送信し、
前記入力モジュールは、ユーザーが入力した文字データを前記制御モジュールに送信し、
前記制御モジュールは、同じ所定の時間範囲内のユーザーが入力した文字データ、音声から変換されたテキスト及び同じ前記所定の時間範囲を前記表示モジュールに表示させることを特徴とする音声をテキストに変換する装置。
【請求項２】
前記制御モジュールは所定の時間範囲内でユーザーが入力した文字データを受信しないと、前記表示モジュールに音声から変換されたキスト及び前記所定の時間範囲だけを表示することを特徴とする請求項１に記載の音声をテキストに変換する装置。
【請求項３】
前記音声をテキストに変換する装置は、押圧されるとユーザーの不在情報を前記制御モジュールに送信する操作モジュールをさらに備え、
前記制御モジュールは、前記操作モジュールから送信したユーザーの不在情報を受信すると、ユーザー不在の所定の時間範囲内で音声から変換されてなるテキストに、操作モジュールが操作されていなかった場合に表示される字体の色と異なる字体色を付与して前記表示モジュールに表示させることを特徴とする請求項１又は２に記載の音声をテキストに変換する装置。
【請求項４】
異なる音声データに対応する異なるテキストデータを格納している音声をテキストに変換する装置に応用される音声をテキストに変換する方法であって、
外部の音声信号を受け取るステップと、
異なる所定の時間範囲における各々の所定の時間範囲内の音声信号をテキストデータに変換するステップと、
ユーザーが文字データを入力すると、同じ所定の時間範囲内のユーザーが入力した文字データ、音声から変換されたテキスト及び同じ前記所定の時間範囲を表示するステップと、
を備えることを特徴とする音声をテキストに変換する方法。
【請求項５】
所定の時間範囲内でユーザーが文字データを入力しないと、音声から変換されたテキスト及び前記所定の時間範囲だけを表示することを特徴とする請求項４に記載の音声をテキストに変換する方法。
【発明の詳細な説明】
【技術分野】
【０００１】
本発明は、音声識別に関するものであり、特に音声をテキストに変換する装置及び方法に関するものである。
【背景技術】
【０００２】
ミーティング又はトレーニングの間、重要な内容を全て記録することが重要であるが、記録をしている最中又は途中で離れて、一部の内容を聞き逃してしまうことがある。このような問題を解決するために、音声をテキストに変換する装置を使用して、音声をテキストに変換して格納するとともに、ユーザーは重要な情報に関するキーワードを入力しても、ユーザーが入力したキーワードと音声から変換されたテキストとが対応しない場合があり、このような場合にはユーザーは自分でキーワードに関連するテキストを探さなければならない。
【発明の概要】
【発明が解決しようとする課題】
【０００３】
本発明の目的は、前記課題を解決し、ユーザーが入力した文字データと、音声から変換されたテキストとを同時に表示モジュールに表示することができる音声をテキストに変換する装置及び方法を提供することである。
【課題を解決するための手段】
【０００４】
本発明に係る音声をテキストに変換する装置は、音声受信モジュール、音声識別モジュール、表示モジュール、入力モジュール及び制御モジュールを備え、前記音声受信モジュールは、外部の音声信号を受け取って前記音声識別モジュールに送信し、前記音声識別モジュールは、異なる所定の時間範囲における各々の所定の時間範囲内の音声信号をテキストデータに変換してから前記制御モジュールに送信し、前記入力モジュールは、ユーザーが入力した文字データを前記制御モジュールに送信し、前記制御モジュールは、同じ所定の時間範囲内のユーザーが入力した文字データ、音声から変換されたテキスト及び同じ前記所定の時間範囲を前記表示モジュールに表示させる。
【０００５】
本発明に係る音声をテキストに変換する方法は、異なる音声データに対応する異なるテキストデータを格納している音声をテキストに変換する装置に応用され、外部の音声信号を受け取るステップと、異なる所定の時間範囲における各々の所定の時間範囲内の音声信号をテキストデータに変換するステップと、ユーザーが文字データを入力すると、同じ所定の時間範囲内のユーザーが入力した文字データ、音声から変換されたテキスト及び同じ前記所定の時間範囲を表示するステップと、を備える。
【発明の効果】
【０００６】
本発明の音声をテキストに変換する装置及び方法によれば、同じ所定の時間範囲内でユーザーが入力した文字データ、音声から変換されたテキスト及び前記所定の時間範囲を全て表示するので、ユーザーが入力した文字データと音声から変換されたテキストとを同時に表示モジュールに表示することができる。
【図面の簡単な説明】
【０００７】
【図１】本発明の実施形態に係る音声をテキストに変換する装置の構成図である。
【図２】本発明の実施形態に係る音声をテキストに変換する方法のフローチャートである。
【発明を実施するための形態】
【０００８】
図１は、本発明の実施形態に係る音声をテキストに変換する装置の構成図である。前記音声をテキストに変換する装置は、格納モジュール１０と、音声受信モジュール２０と、音声識別モジュール３０と、操作モジュール４０と、入力モジュール５０と、制御モジュール６０と、表示モジュール７０と、を備える。
【０００９】
前記格納モジュール１０は、各々の音声データに対応する各々のテキストデータを格納する。
【００１０】
前記音声受信モジュール２０は、外部の音声信号を受け取って前記音声識別モジュール３０に送信する。
【００１１】
前記音声識別モジュール３０は、所定の時間範囲内の音声信号を音声データに変換してから、前記格納モジュール１０から前記音声データに対応するテキストデータを探し、且つ探した前記テキストデータを前記制御モジュール６０に送信する。
【００１２】
前記操作モジュール４０が押圧されると、ユーザーの不在情報を前記制御モジュール６０に送信する。
【００１３】
前記入力モジュール５０は、ユーザーが入力した文字データを前記制御モジュール６０に送信する。本実施形態において、前記入力モジュール５０はタッチパネルである。
【００１４】
前記制御モジュール６０は、前記音声識別モジュール３０から送信するテキストデータを受信する所定の時間範囲内で、ユーザーが入力した文字データを受信したかどうかを判断する。前記制御モジュール６０は、前記音声識別モジュール３０から送信するテキストデータを受信する所定の時間範囲内で、ユーザーが入力した文字データを受信すると、外部の音声を変換してなる前記テキスト及びユーザーが入力した文字データを全て前記表示モジュール７０に表示する。前記制御モジュール６０は、前記音声識別モジュール３０から送信する前記テキストデータを受信する所定の時間範囲内で、ユーザーが入力した文字データを受信しないと、前記表示モジュール７０に外部の音声を変換してなる前記テキストだけを表示する。例えば、１時間を複数の所定の時間範囲に分けると、０〜１分の時間範囲内で、ユーザーは文字データを入力しなく、前記制御モジュール６０が前記音声識別モジュール３０から送信する「年中技術表彰大会を開催する」とのテキストデータを受信すると、前記表示モジュール７０に「００：００：００〜００：０１：００、年中技術表彰大会を開示する」を表示し、２０〜２１分の時間範囲内で、前記制御モジュール６０が前記音声識別モジュール３０から送信する「張部長から電気回路基板の回路設計に関して報告します」とのテキストデータを受信し、且つユーザーが前記入力モジュール５０によって「電気回路基板の回路設計」を入力すると、前記表示モジュール７０に「００：２０：００〜００：２１：００、張部長から電気回路基板の回路設計に関して報告します、００：２０：００〜００：２１：００、電気回路基板の回路設計」を表示する。ユーザーがミーティングから離れる前に前記操作モジュール４０を押圧すると、前記制御モジュール６０は、ユーザー不在の所定の時間範囲内で音声から変換されてなるテキストに、操作モジュールが操作されていなかった場合に表示される字体の色と異なる字体色を付与して前記表示モジュール７０に表示する。
【００１５】
図１及び図２を参照すると、本発明の実施形態に係る音声をテキストに変換する方法は、以下のステップを備える。
【００１６】
ステップＳ２０１において、前記音声受信モジュール２０は、外部の音声信号を受け取って前記音声識別モジュール３０に送信する。本実施形態においては、マイクロフォンによって外部の音声信号を受け取る。
【００１７】
ステップＳ２０２において、前記音声識別モジュール３０は、所定の時間段内の音声信号を音声データに変換してから、前記格納モジュール１０から前記音声データに対応するテキストデータを探し、且つ探した前記テキストデータを前記制御モジュール６０に送信する。
【００１８】
ステップＳ２０３において、前記制御モジュール６０は、前記音声識別モジュール３０から送信する前記テキストデータを受信する所定の時間範囲内で、ユーザーが入力した文字データを受信したかどうかを判断する。前記制御モジュール６０は、前記音声識別モジュール３０から送信する前記テキストデータを受信する所定の時間範囲内で、ユーザーが入力した文字データを受信すると、ステップＳ２０４に入る。前記制御モジュール６０は、前記音声識別モジュール３０から送信する前記テキストデータを受信する所定の時間範囲内で、ユーザーが入力した文字データを受信しないと、ステップＳ２０５に入る。
【００１９】
ステップＳ２０４において、音声から変換された前記テキスト及び対応する時間と、ユーザーが入力した文字データ及び対応する時間と、を前記表示モジュール７０に表示する。
【００２０】
ステップＳ２０５において、前記表示モジュール７０に音声から変換された前記テキスト及び対応する時間だけを表示する。
【００２１】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２２】
１０  格納モジュール
２０  音声受信モジュール
３０  音声識別モジュール
４０  操作モジュール
５０  入力モジュール
６０  制御モジュール
７０  表示モジュール  
【図１】
2012141596.tif 000003
【図２】
2012141596.tif 000004